【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
複数のリソース・マネージャと、前記複数のリソース・マネージャによって提供される少なくとも１つのサービスとを示すカタログを提供するステップと、
少なくとも１つのサービスを提供するリソース・マネージャに関するリソース可用性情報を示すリソース・マネージャ情報を提供するステップと、
加入者からの要求サービスに関する要求を受信するステップと、
前記要求サービスを公表するリソース・マネージャを識別するために、前記カタログを処理するステップと、
サービス要求に適用可能な少なくとも１つのルールも満足する前記要求サービスを公表する少なくとも１つの識別済みリソース・マネージャを決定するために、前記リソース・マネージャ情報を処理するステップと、
を含む方法。
【請求項２】
前記サービス要求に適用可能な少なくとも１つのルールが、前記リソース・マネージャが満足しなければならない技術的パラメータを示し、少なくとも１つのリソース・マネージャを決定するために前記リソース・マネージャ情報を処理する前記ステップが、
前記サービス要求に適用可能な前記少なくとも１つのルールに示された前記技術的パラメータを満足する前記要求サービスを公表する少なくとも１つのリソース・マネージャを決定するステップ
を含む、請求項１に記載の方法。
【請求項３】
前記技術的パラメータが、
前記リソース・マネージャにおける最小量の使用可能記憶域、
前記リソース・マネージャにおける最小量の使用可能計算リソース、
前記リソース・マネージャで使用可能な最小量の接続帯域幅、および
前記リソース・マネージャがサポートしなければならない技術仕様
を含む１組の技術的パラメータの構成要素である複数の技術的パラメータのうちの１つを指定する、請求項２に記載の方法。
【請求項４】
前記サービス要求に適用可能な少なくとも１つのルールが、サービス品質パラメータを示し、少なくとも１つのリソース・マネージャを決定するために前記リソース・マネージャ情報を処理する前記ステップが、
前記要求サービスを前記加入者に提供することができ、前記サービス要求に適用可能な前記サービス品質パラメータを満足する、前記要求サービスを、公表する少なくとも１つのリソース・マネージャを決定するステップ
を含む、請求項１に記載の方法。
【請求項５】
前記サービス品質パラメータが、
前記リソース・マネージャで使用可能な必要ハードウェア冗長性、
前記リソース・マネージャで使用可能な必要接続帯域幅、
前記リソース・マネージャにおける必要計算リソース可用性、および
前記リソース・マネージャにおける最大数の接続ユーザ
を含む１組のサービス品質パラメータの構成要素である複数のサービス品質パラメータのうちの１つを指定する、請求項４に記載の方法。
【請求項６】
少なくとも１つのルールが、前記リソース・マネージャの技術的パフォーマンスに関連しないサービスを公表する前記リソース・マネージャが満足しなければならない前記サービス要求に適用可能なビジネス・パラメータを示し、少なくとも１つのリソース・マネージャを決定するために前記リソース・マネージャ情報を処理する前記ステップが、
前記サービスの公表により前記ビジネス・パラメータを満足する前記要求サービスを公表する少なくとも１つのリソース・マネージャを決定するステップ
を含む、請求項１に記載の方法。
【請求項７】
前記ビジネス・パラメータが、前記リソース・マネージャにおける必要セキュリティ・レベルを指定する、請求項６に記載の方法。
【請求項８】
少なくとも１つのルールが、前記リソース・マネージャの技術的パフォーマンスに関連しない前記要求を開始する前記加入者が満足しなければならないビジネス・パラメータを示し、
前記加入者が前記ビジネス・パラメータを満足するかどうかを判断するステップであって、前記加入者が前記ビジネス・パラメータを満足すると判断したことに応答して、前記サービスを公表する１つの決定されたリソース・マネージャへのアクセスが許可される、ステップ
をさらに含む、請求項１に記載の方法。
【請求項９】
前記ビジネス・パラメータが、前記サービスまたは前記サービスを公表する前記リソース・マネージャに対して前記加入者に要求されるアクセス・レベルと、前記加入者に関連する必要アカウント状況とを含む、１組のビジネス・パラメータの構成要素である複数のビジネス・パラメータのうちの１つを指定する、請求項８に記載の方法。
【請求項１０】
前記要求サービスがオブジェクトを処理するための要求を含み、少なくとも１つのルールが、前記サービス要求の対象となる前記オブジェクトを処理するためのビジネス・プロセス・ルールを含み、
前記オブジェクトを処理するための少なくとも１つのリソース・マネージャを選択するために、オブジェクト・パラメータおよび前記ビジネス・プロセス・ルールを処理するステップと、
前記オブジェクトを前記決定されたリソース・マネージャに伝送するステップと、
を含む、請求項１に記載の方法。
【請求項１１】
前記リソース・マネージャがコンピュータ可読デバイスを含み、前記ビジネス・プロセス・ルールが、前記オブジェクト・パラメータに基づいて前記オブジェクトを保管すべき１つのコンピュータ可読媒体を選択する「保存およびアーカイブ・ポリシー」を指定する、請求項１０に記載の方法。
【請求項１２】
リソース・マネージャによって公表される前記サービスが、データ保管サービス、ファイルにアクセスするためのデータ・アクセス・サービス、およびプロセスを実行するための計算サービスを含む、請求項１１に記載の方法。
【請求項１３】
加入者と通信するシステムにおいて、
プロセッサと、
そのそれぞれが少なくとも１つのサービスを提供する、複数のリソース・マネージャと、
前記プロセッサにとってアクセス可能なメモリであって、
（ｉ）前記複数のリソース・マネージャと、前記複数のリソース・マネージャによって提供される少なくとも１つのサービスとを示すカタログと、
（ｉｉ）少なくとも１つのサービスを提供するリソース・マネージャに関するリソース可用性情報を示すリソース・マネージャ情報と、
を含むメモリと、
プロセッサによって実行されるコードを含むコンピュータ可読媒体であって、
（ｉ）前記加入者からの要求サービスに関する要求を受信するステップと、
（ｉｉ）前記要求サービスを公表するリソース・マネージャを識別するために前記カタログを処理するステップと、
（ｉｉｉ）サービス要求に適用可能な少なくとも１つのルールも満足する前記要求サービスを公表する少なくとも１つの識別済みリソース・マネージャを決定するために前記リソース・マネージャ情報を処理するステップと、
を実行するためのコンピュータ可読媒体と、
を備えるシステム。
【請求項１４】
リソース・マネージャおよび加入者と通信するための、コンピュータに記憶されたコンピュータ・プログラムであって、当該コンピュータに、
複数のリソース・マネージャと、前記複数のリソース・マネージャによって提供される少なくとも１つのサービスとを示すカタログを提供するステップと、
少なくとも１つのサービスを提供するリソース・マネージャに関するリソース可用性情報を示すリソース・マネージャ情報を提供するステップと、
前記加入者からの要求サービスに関する要求を受信するステップと、
前記要求サービスを公表するリソース・マネージャを識別するために、前記カタログを処理するステップと、
サービス要求に適用可能な少なくとも１つのルールも満足する前記要求サービスを公表する少なくとも１つの識別済みリソース・マネージャを決定するために前記リソース・マネージャ情報を処理するステップと、
を実行させるためのコンピュータ・プログラム。